(57)【特許請求の範囲】
【請求項１】
毛髪の染色又は脱色を行うときに、毛髪に被せられるヘアキャップであって、
ヘアキャップ本体は、折り畳み可能なシート材により略半球状に形成され、毛髪にヘアキャップを被せた状態において、ヘアキャップ本体には、髪の毛束をヘアキャップ本体の内側から外側に引出すための引出し孔が複数箇所に貫通形成され、各引出し孔において、髪の伸びる方向に対して略直交方向であって、ヘアキャップ本体の頂部を中心とする円周方向の幅は、５〜２０ｍｍの範囲にそれぞれ設定され、
前記引出し孔において、前記髪の伸びる方向に対して略直交方向であって、ヘアキャップ本体の頂部を中心とする円周方向の幅は、ヘアキャップ本体の頂部に向かうに従い小さくなるように設定され、
前記引出し孔において、髪の伸びる方向に対して略平行方向であって、ヘアキャップ本体の頂部から底部に向かう方向の長さは、髪の伸びる方向に対して略直交方向であって、ヘアキャップ本体の頂部を中心とする円周方向の幅の大きさ以上に設定されていることを特徴とするヘアキャップ。
【請求項２】
前記引出し孔は、略二等辺三角形状に貫通形成され、該引出し孔の底辺がヘアキャップ本体の底部に向かうとともに、該引出し孔の頂点がヘアキャップ本体の頂部に向かうようになっている請求項１に記載のヘアキャップ。
【請求項３】
前記引出し孔の頂点と引出し孔の中心とを通る線は、ヘアキャップ本体の頂部と引出し孔の中心とを通る線を基準線とし、この基準線上又は基準線に対して５度以下の角度で交差する請求項２に記載のヘアキャップ。
【請求項４】
前記ヘアキャップ本体の頂部には、開口孔が貫通形成されている請求項１から請求項３のいずれか一項に記載のヘアキャップ。
【請求項５】
請求項１から請求項４のいずれか一項に記載のヘアキャップを毛髪に被せ、毛髪を引出し孔から引出し、引出された毛髪に染色又は脱色を行うことを特徴とするヘアキャップの利用方法。
【発明の詳細な説明】
【０００１】
【発明の属する技術分野】
本発明は、毛髪の染色又は脱色を行うときに使用するヘアキャップ及びその利用方法に関するものである。
【０００２】
【従来の技術】
従来、この種のヘアキャップとしては、例えば特公昭３９−２７６８５号公報、特公昭４１−２２０７３号公報及び特開昭５８−８９２０６号公報に示すような構成のものが知られている。
【０００３】
これら従来構成のヘアキャップにおいては、シート材により略半球状に形成されているヘアキャップ本体と、ヘアキャップ本体の複数箇所に形成されている引出し孔とから主に構成されている。これら引出し孔は略円状にそれぞれ形成されている。
【０００４】
そして、毛髪を部分的に染色又は脱色するときには、ヘアキャップを毛髪に被せた後に、各引出し孔から髪の毛束をヘアキャップ本体の内側から外側に引出すことによって、染色又は脱色させたい髪の毛束のみをヘアキャップ本体の外側に引出す。続いて、この引出された髪の毛束を染毛処理又は脱色処理することによって、毛髪を部分的に染色又は脱色するようになっている。
【０００５】
【発明が解決しようとする課題】
ところが、これら従来構成のヘアキャップにおいては、引出し孔の直径は約４．７６ｍｍ（特公昭４１−２２０７３号公報）等であるために、引出し孔は小さい。このため、髪の毛束をヘアキャップ本体の外側に引出すときには、必要な量の髪の毛束を引出すために引出し孔から髪の毛束を引出す操作を何回も繰り返す必要がある。よって、毛髪を部分的に染色又は脱色する操作が煩雑になるという問題があった。
【０００６】
本発明は、上記のような従来技術に存在する問題点に着目してなされたものである。その目的とするところは、毛髪を部分的に染色又は脱色する操作を容易に行うことができるヘアキャップ及びその利用方法を提供することにある。
【０００７】
【課題を解決するための手段】
上記の目的を達成するために、請求項１に記載の発明のヘアキャップは、毛髪の染色又は脱色を行うときに、毛髪に被せられるヘアキャップであって、ヘアキャップ本体は、折り畳み可能なシート材により略半球状に形成され、毛髪にヘアキャップを被せた状態において、ヘアキャップ本体には、髪の毛束をヘアキャップ本体の内側から外側に引出すための引出し孔が複数箇所に貫通形成され、各引出し孔において、髪の伸びる方向に対して略直交方向であって、ヘアキャップ本体の頂部を中心とする円周方向の幅は、５〜２０ｍｍの範囲にそれぞれ設定され、前記引出し孔において、前記髪の伸びる方向に対して略直交方向であって、ヘアキャップ本体の頂部を中心とする円周方向の幅は、ヘアキャップ本体の頂部に向かうに従い小さくなるように設定され、前記引出し孔において、髪の伸びる方向に対して略平行方向であって、ヘアキャップ本体の頂部から底部に向かう方向の長さは、髪の伸びる方向に対して略直交方向であって、ヘアキャップ本体の頂部を中心とする円周方向の幅の大きさ以上に設定されているものである。
【００１０】
請求項２に記載の発明のヘアキャップは、請求項１に記載の発明において、前記引出し孔は、略二等辺三角形状に貫通形成され、該引出し孔の底辺がヘアキャップ本体の底部に向かうとともに、該引出し孔の頂点がヘアキャップ本体の頂部に向かうようになっているものである。
請求項３に記載の発明のヘアキャップは、請求項２に記載の発明において、前記引出し孔の頂点と引出し孔の中心とを通る線は、ヘアキャップ本体の頂部と引出し孔の中心とを通る線を基準線とし、この基準線上又は基準線に対して５度以下の角度で交差する。
請求項４に記載の発明のヘアキャップは、請求項１から請求項３のいずれか一項に記載のヘアキャップにおいて、ヘアキャップ本体の頂部には、開口孔が貫通形成されている。
【００１１】
請求項５に記載の発明のヘアキャップの利用方法は、請求項１から請求項４のいずれか一項に記載のヘアキャップを毛髪に被せ、毛髪を引出し孔から引出し、引出された毛髪に染色又は脱色を行うものである。
【００１２】
【発明の実施の形態】
以下、本発明を具体化した一実施形態を図面に基づいて詳細に説明する。
図１に示すように、ヘアキャップ本体１１は、折り畳み可能であるとともに平面略楕円状をなす２枚のシート材１２を縫い合わせることにより、略半球状に形成されている。ヘアキャップ本体１１は不使用時には折り畳んで収納され、使用時には展開して使用される。このとき、縫い目１３はヘアキャップ本体１１の頂部を通る直線状に構成されている。折り畳み可能なシート材１２の材料の具体例としては、ＰＰ（ポリプロピレン）、ＬＬＤＰＥ（直鎖状低密度ポリエチレン）、ＬＤＰＥ（低密度ポリエチレン）、ＨＤＰＥ（高密度ポリエチレン）、ＮＹ（ナイロン）、ＥＶＡ（エチレン−酢酸ビニル共重合体）、ＰＶＣ（ポリ塩化ビニル）、エラストマー及びそれらを混合したもの等が挙げられる。
【００１３】
図１及び図２に示すように、ヘアキャップ本体１１には、毛髪１４にヘアキャップ１５を被せた状態において、髪の毛束１６をヘアキャップ本体１１の内側から外側に引出すための略二等辺三角形状をなす引出し孔１７が複数箇所に貫通形成されている。これら引出し孔１７は、底辺がヘアキャップ本体１１の底部に向かうとともに、頂点がヘアキャップ本体１１の頂部にほぼ向かうようになっている。このとき、引出し孔１７の頂点と引出し孔１７の中心とを通る線は、ヘアキャップ本体１１の頂部と引出し孔１７の中心とを通る線を基準線とし、この基準線上又は基準線に対して５度以下の角度で交差するようになっている。
【００１４】
これら引出し孔１７は、ヘアキャップ本体１１の頂部を中心とする同心円の円周上にそれぞれ位置するように構成されている。具体的には、本実施形態において図１中に二点鎖線で示す第１仮想円１８、第２仮想円１９又は第３仮想円２０の円周上にそれぞれ位置するように構成されている。このとき、第１仮想円１８の円周上に位置する引出し孔１７の数は４〜８個が好ましい。また、直径が第１仮想円１８よりも大きい第２仮想円１９の円周上に位置する引出し孔１７の数は６〜１０個が好ましい。さらに、直径が第２仮想円１９よりも大きい第３仮想円２０の円周上に位置する引出し孔１７の数は４〜１６個が好ましい。
【００１５】
第２仮想円１９の円周上に位置する引出し孔１７は、円周方向において第１仮想円１８の円周上に位置する引出し孔１７の間に位置するとともに、第３仮想円２０の円周上に位置する引出し孔１７は、第２仮想円１９の円周上に位置する引出し孔１７の間に位置するように構成されている。さらに、各引出し孔１７は、互いに重なり合わないように構成されている。
【００１６】
引出し孔１７の底辺の幅Ｄは５〜２０ｍｍ、好ましくは１０〜１５ｍｍの範囲に設定されている。５ｍｍ未満では、必要な量の髪の毛束１６を引出すために、引出し孔１７から髪の毛束１６を引出す操作を何回も繰り返す必要がある。一方、２０ｍｍを超えると、必要な量を超える量の髪の毛束１６を引出し孔１７から引出してしまう。
【００１７】
また、引出し孔１７の底辺から頂点までの長さＬは、幅Ｄの大きさ以上になるように設定されている。具体的には、長さＬは幅Ｄに対して好ましくは１〜１．５倍、さらに好ましくは１〜１．３倍の範囲である。
【００１８】
ヘアキャップ本体１１の頂部には、略十字状をなす開口孔２１が貫通形成されている。そして、毛髪１４にヘアキャップ１５を被せた状態において、この開口孔２１により髪の毛束１６をヘアキャップ本体１１の内側から外側に引出すことができるようになっている。
【００１９】
毛髪１４にヘアキャップ１５を被せた状態において、引出し孔１７又は開口孔２１により髪の毛束１６をヘアキャップ本体１１の内側から外側に引出すときには、端部に引出し部２２を有するスライス棒２３を使用するようになっている。図３（ａ）に示すように、スライス棒２３の引出し部２２は、耳掻き状に形成されている。
【００２０】
次に、上記のように構成されたヘアキャップ１５の作用を説明する。
さて、毛髪１４を部分的に染色又は脱色するときには、まず、毛髪１４の染色又は脱色させたい箇所にヘアキャップ本体１１の引出し孔１７が位置するように、毛髪１４にヘアキャップ１５を被せる。このとき、ヘアキャップ本体１１の開口孔２１は頭頂部に位置している。
【００２１】
次に、図２に示すように、スライス棒２３の引出し部２２を開口孔２１に挿入した後に、頭頂部において、開口孔２１に位置する髪の毛束１６を引っ掛ける。そして、スライス棒２３の引出し部２２を開口孔２１からヘアキャップ本体１１の外側に引出すことによって、頭頂部の髪の毛束１６をヘアキャップ本体１１の内側から外側に引出す。
【００２２】
続いて、スライス棒２３の引出し部２２を引出し孔１７に挿入した後に、引出し孔１７に位置する髪の毛束１６を引っ掛ける。そして、スライス棒２３の引出し部２２を引出し孔１７からヘアキャップ本体１１の外側に引出すことによって、髪の毛束１６をヘアキャップ本体１１の内側から外側に引出す。この引出し孔１７から髪の毛束１６を引出す操作を各引出し孔１７に対して行うことによって、染色又は脱色させたい箇所の髪の毛束１６を全てヘアキャップ本体１１の外側に引出す。
【００２３】
そして、各引出し孔１７から引出された髪の毛束１６に染毛剤又は脱色剤をそれぞれ塗布することにより、各髪の毛束１６を染毛処理又は脱色処理する。このとき、開口孔２１から引出された髪の毛束１６に対しては染毛処理又は脱色処理を行わないことにより、毛髪１４をナチュラルなヘアカラースタイルにすることができる。
【００２４】
以上詳述した本実施形態によれば、次のような効果が発揮される。
・  本実施形態のヘアキャップ１５においては、各引出し孔１７は略二等辺三角形状に形成され、各引出し孔１７の幅Ｄは５〜２０ｍｍの範囲に設定されている。このため、引出し孔１７から髪の毛束１６を引出す操作を何回も繰り返すことなく、必要な量の髪の毛束１６を引出し孔１７から引出すことができる。
【００２５】
・  本実施形態のヘアキャップ１５においては、引出し孔１７は略二等辺三角形状に形成され、引出し孔１７の底辺がヘアキャップ本体１１の底部に向かうとともに、引出し孔１７の頂点がヘアキャップ本体１１の頂部にほぼ向かうようになっている。さらに、引出し孔１７において、髪の伸びる方向に対して略直交方向であって、ヘアキャップ本体の頂部を中心とする円周方向の幅は、ヘアキャップ本体１１の頂部に向かうに従い小さくなるように構成されている。このため、引出し孔１７に位置する毛髪１４において、頂点に位置する毛髪１４よりも底辺に位置する毛髪１４の方が染色又は脱色される量が多い。よって、染毛処理又は脱色処理された毛髪１４において、引出し孔１７の底辺に位置する染色又は脱色された毛髪１４は、引出し孔１７の頂点付近に位置する染色又は脱色されていない毛髪１４の内側に位置する。そして、染色又は脱色された毛髪１４と染色又は脱色されていない毛髪１４との境界が不明瞭となるために、髪の伸びる方向に対して直交方向であって、ヘアキャップ本体の頂部を中心とする円周方向の色の境界ができるのを防止することができる。さらに、染色又は脱色された毛髪１４と染色又は脱色されていない毛髪１４との境界線は、引出し孔１７が略二等辺三角形状に形成されているために、髪の伸びる方向に対して傾斜状に交差する。よって、髪の伸びる方向に対して直交方向であって、ヘアキャップ本体の頂部を中心とする円周方向の色の境界ができるのをより防止することができる。
【００２６】
・  本実施形態のヘアキャップ１５においては、引出し孔１７の長さＬは幅Ｄの大きさ以上になるように設定されている。このため、引出し孔１７に位置する毛髪１４において、髪の伸びる方向に対して直交方向であって、ヘアキャップ本体の頂部を中心とする円周方向の毛髪１４よりも、髪の伸びる方向に対して平行方向であって、ヘアキャップ本体の頂部から底部に向かう方向の毛髪１４の方が、染色又は脱色される量が多い。よって、染毛処理又は脱色処理された毛髪１４において、染色又は脱色された毛髪１４は、その毛髪１４よりも頭頂部側に位置する染色又は脱色されていない毛髪１４の内側に位置する。そして、染色又は脱色された毛髪１４と染色又は脱色されていない毛髪１４との境界が不明瞭となるために、髪の伸びる方向に対して直交方向であって、ヘアキャップ本体の頂部を中心とする円周方向の色の境界ができるのをさらに防止することができる。
【００２７】
・  本実施形態のヘアキャップ１５においては、ヘアキャップ本体１１の複数箇所に引出し孔１７が貫通形成されている。このため、一度に複数箇所の毛髪１４の染色又は脱色を行うことができる。
【００２８】
・  本実施形態のヘアキャップ１５においては、ヘアキャップ本体１１の頂部に開口孔２１が貫通形成されている。このため、毛髪１４を部分的に染色又は脱色を行うときに、予め開口孔２１から髪の毛束１６をヘアキャップ本体１１の外側に引出すことにより、頭頂部から伸びている髪の毛束１６以外の髪の毛束１６のみを引出し孔１７から引出して染色又は脱色することができる。よって、染毛処理又は脱色処理された毛髪１４において、染色又は脱色された毛髪１４は、頭頂部から伸びている染色又は脱色されていない毛髪１４の内側に位置する。そして、染色又は脱色された毛髪１４と染色又は脱色されていない毛髪１４との境界が不明瞭となるために、毛髪１４をナチュラルなヘアカラースタイルにすることができる。
【００２９】
・  本実施形態のヘアキャップ１５においては、各引出し孔１７は、ヘアキャップ本体１１の頂部を中心とする各同心円１８，１９，２０の円周上に位置するようにそれぞれ構成されている。さらに、各引出し孔１７は、互いに重なり合わないように構成されている。このため、染毛処理又は脱色処理する箇所を毛髪１４全体に分散することができる。
【００３０】
・  本実施形態のヘアキャップ１５においては、ヘアキャップ本体１１は、折り畳み可能であるとともに平面略楕円状をなす２枚のシート材１２を縫い合わせることにより、略半球状に形成されている。そして、縫い目１３はヘアキャップ本体１１の頂部を通る直線状に構成されている。このため、毛髪１４にヘアキャップ１５を被せるときには、頭の形状に合わせて毛髪１４を被うことにより、毛髪１４とヘアキャップ本体１１の内側との間に間隙が形成されるのを防止することができる。よって、引出し孔１７から引出された髪の毛束１６に染毛剤又は脱色剤を塗布するときに、引出し孔１７からヘアキャップ本体１１の内側に染毛剤又は脱色剤が垂れ落ちるのを防止することができる。さらに、毛髪１４にヘアキャップ１５を被せるときに、縫い目１３を目印にすることにより、毛髪１４の染色又は脱色させたい箇所に引出し孔１７を容易に位置させることができる。
【００３１】
・  本実施形態のヘアキャップ１５においては、ヘアキャップ本体１１は、平面略楕円状をなす２枚のシート材１２を縫い合わせることにより形成されている。このため、ヘアキャップ１５を容易に製造することができ、製造コストを節約することができる。
【００３２】
・  本実施形態のヘアキャップ１５においては、毛髪１４を部分的に染色又は脱色するときには、毛髪１４にヘアキャップ１５を被せるようになっている。このため、必要箇所以外の毛髪１４が染色又は脱色されるのを防止することができる。
【００３３】
・  本実施形態のヘアキャップ１５においては、スライス棒２３の引出し部２２は耳掻き状に形成されている。このため、髪の毛束１６を容易に引出すことができる。さらに、髪の毛束１６を引出すときに、頭皮に損傷等の不具合が発生するのを防止することができる。
【００３４】
なお、前記実施形態を次のように変更して構成することもできる。
・  図４（ａ）に示すように、前記引出し孔１７を略菱形形状や略楕円形状、略三角形状等の形状にしてもよい。また、各引出し孔１７において、引出し孔１７毎に略二等辺三角形状及び上述の形状より選ばれる一つの形状にそれぞれしてもよい。このとき、引出し孔１７の中心から髪の伸びる方向に対して平行方向に位置する端部までの長さは、引出し孔１７の髪の伸びる方向に対して略直交方向の幅の大きさ以上になるように設定される。
【００３５】
・  図４（ｂ）に示すように、前記各引出し孔１７を互いに隣接するように貫通形成してもよい。
・  前記開口孔２１の形状を、略円状、略四角状等の形状に変更してもよい。
又は開口孔２１を省略してもよい。
【００３６】
・  前記引出し孔１７は、ヘアキャップ本体１１の頂部を中心とする４個以上の同心円の円周上に位置するように構成してもよい。このように構成した場合は、毛髪全体において、染毛処理又は脱色処理を行う箇所をより分散することができる。
【００３７】
・  図３（ｂ）に示すように、前記スライス棒２３の引出し部２２を、鉤針状に形成してもよい。このように構成した場合は、髪の毛束１６をより確実に把んで引出すことができる。さらに、引出された髪の毛束１６を容易に保持することができる。
【００３８】
・  前記ヘアキャップ本体１１を、３枚以上のシート材１２を縫い合わせることにより形成してもよい。
・  前記スライス棒２３を、一端に引出し部２２を有するとともに、他端に櫛歯を有する櫛に変更しても良い。このように構成した場合、髪の毛束１６を容易に引出すことができるとともに、髪を梳くために新たに櫛を用意する必要がないために、染毛処理又は脱色処理をより容易に行うことができる。
【００３９】
次に、前記実施形態から把握できる技術的思想について以下に記載する。
（１）前記引出し孔は、ヘアキャップ本体の頂部を中心とする同心円の円周上にそれぞれ位置するように構成されている前記ヘアキャップ。この構成によれば、染毛処理又は脱色処理する箇所を毛髪全体に分散することができる。
【００４１】
【発明の効果】
本発明は、以上のように構成されているため、次のような効果を奏する。
請求項１に記載の発明のヘアキャップによれば、毛髪を部分的に染色又は脱色する操作を容易に行うことができる。
【００４２】
また、染毛処理又は脱色処理された毛髪において、染毛又は脱色された毛髪と染毛又は脱色されていない毛髪との境界を不明瞭にすることにより、髪の伸びる方向に対して直交方向であって、ヘアキャップ本体の頂部を中心とする円周方向の色の境界ができるのを防止することができる。
【００４３】
また、染毛処理又は脱色処理された毛髪において、染毛又は脱色された毛髪と染毛又は脱色されていない毛髪との境界をより不明瞭にすることにより、髪の伸びる方向に対して直交方向であって、ヘアキャップ本体の頂部を中心とする円周方向の色の境界ができるのをより防止することができる。
【００４４】
請求項２，３に記載の発明のヘアキャップによれば、前記発明の効果に加え、染毛処理又は脱色処理された毛髪において、染毛又は脱色された毛髪と染毛又は脱色されていない毛髪との境界をさらに不明瞭にすることにより、髪の伸びる方向に対して直交方向であって、ヘアキャップ本体の頂部を中心とする円周方向の色の境界ができるのをさらに防止することができる。
請求項４に記載の発明のヘアキャップによれば、前記発明の効果に加え、染毛処理又は脱色処理された毛髪において、毛髪をナチュラルなヘアカラースタイルにすることができる。
【００４５】
請求項５に記載の発明のヘアキャップの利用方法によれば、毛髪を部分的に染色又は脱色する操作を容易に行うことができる。
【図面の簡単な説明】
【図１】実施形態におけるヘアキャップを示す平面図。
【図２】ヘアキャップ本体の引出し孔から髪の毛束を引出す状態を示す一部破断側面図。
【図３】（ａ）はスライス棒の引出し部を示す要部拡大側面図、（ｂ）はスライス棒の引出し部の別例を示す要部拡大側面図。
【図４】（ａ）及び（ｂ）は引出し孔の別例を示す要部拡大側面図。
【符号の説明】
Ｄ…幅、Ｌ…長さ、１１…ヘアキャップ本体、１２…シート材、１４…毛髪、１５…ヘアキャップ、１６…髪の毛束、１７…引出し孔。
【図１】
0004590131.tif 000002
【図２】
0004590131.tif 000003
【図３】
0004590131.tif 000004
【図４】
0004590131.tif 000005